【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
第１の通貨を出金する取引装置において、
出金取引に関する内容を表示する表示部と、
使用者の媒体を少なくとも用いて取引を行う取引処理部とを備え、
前記表示部は、出金取引するのに必要な金額としての取引金額を前記第１の通貨単位で表された第１の金額と、該取引金額を第２の通貨単位で表された第２の金額と、該第１の通貨又は第２の通貨のいずれかを前記使用者に選択させる選択ボタンとを、選択画面に表示する
ことを特徴とする取引装置。
【請求項２】
前記表示部は、前記第１の通貨と第２の通貨の交換比率としての決済レートを、前記選択画面にさらに表示し、
前記第２の金額は、前記第１の金額と前記決済レートとを基にして計算された金額である
ことを特徴とする請求項１に記載の取引装置。
【請求項３】
前記表示部は、前記第１の金額、前記第２の金額、前記決済レート、および前記選択ボタンの全てを、前記選択画面の一画面内に表示することを特徴とする請求項２に記載の取引装置。
【請求項４】
前記決済レートは、前記出金取引の際に前記取引装置により受信又は記憶されているレートであることを特徴とする請求項２又は３に記載の取引装置。
【請求項５】
前記媒体は、カードであり、
前記取引処理部は、前記使用者により挿入された前記カードに対し、前記第１の通貨又は第２の通貨の選択が可能か否か判定し、
前記選択が可能と判定されたとき、前記表示部は、前記選択画面を表示する
ことを特徴とする請求項１に記載の取引装置。
【請求項６】
前記媒体は、カードであり、
前記取引処理部は、前記使用者により挿入された前記カードに対し、前記第１の通貨又は第２の通貨の選択が可能か否か判定し、
前記選択が不可と判定されたとき、前記表示部は、前記選択ボタンを表示しない
ことを特徴とする請求項１に記載の取引装置。
【請求項７】
前記媒体は、カードであり、
前記取引処理部は、前記使用者により挿入された前記カードが海外で発行された海外発行カードか否かを判定し、
前記カードが前記海外発行カードと判定されたとき、前記表示部は、前記選択画面を表示する
ことを特徴とする請求項１に記載の取引装置。
【請求項８】
第１の通貨を出金する取引装置において、
出金取引に関する内容を表示する表示部と、
使用者の媒体を少なくとも用いて取引を行う取引処理部とを備え、
前記表示部は、出金取引するのに必要な金額としての取引金額を前記第１の通貨単位で表された第１の金額と、該取引金額を第２の通貨単位で表された第２の金額と、さらに前記第１の通貨と前記第２の通貨の交換比率としての決済レートとして、前記出金取引における第１の決済レート又は該出金取引後における第２の決済レートのいずれかを前記使用者に選択させる選択ボタンとを、選択画面に表示する
ことを特徴とする取引装置。
【請求項９】
前記表示部は、前記出金取引前又は出金取引中に前記決済レートが新しい決済レートに更新されたとき、前記選択画面には前記新しい決済レートを表示することを特徴とする請求項８に記載の取引装置。
【請求項１０】
外部の装置と通信する通信部をさらに備え、
前記通信部が前記外部の装置から前記決済レートを受信すると、前記決済レートは、新しい決済レートに更新されることを特徴とする請求項８に記載の取引装置。
【請求項１１】
取引の内容を印字して明細票として発行する明細票発行部をさらに備え、
前記第１の決済レートが使用者により選択された場合、前記明細票発行部は、前記明細票に、前記第１の決済レートを印字することを特徴とする請求項８に記載の取引装置。
【請求項１２】
前記取引装置が休止状態から稼働状態に遷移するとき、外部の装置から前記取引装置に強制的に電文が送信されるとき、記録媒体又は携帯メモリが前記取引装置と接続したとき、又は取引装置の電源がオンになったとき、前記決済レートは、新しい決済レートに更新されることを特徴とする請求項８に記載の取引装置。
【請求項１３】
第１の通貨を出金する取引装置において、
出金取引に関する内容を表示する表示部と、
使用者が所持するカード又はデバイスに記録されたデータを少なくとも利用して出金取引を行う取引処理部とを備え、
前記表示部は、出金取引するのに必要な金額としての取引金額を前記第１の通貨単位で表された第１の金額と、該取引金額を第２の通貨単位で表された第２の金額と、該第１の通貨又は第２の通貨のいずれかを前記使用者に選択させる選択ボタンとを、選択画面に表示する
ことを特徴とする取引装置。
【請求項１４】
第１の通貨を出金する取引装置において、
取引内容を表示する表示部と、
使用者が所持するカード又はデバイスに記録されたデータを少なくとも利用して出金取引を行う取引処理部とを備え、
前記表示部は、出金取引するのに必要な金額としての取引金額を前記第１の通貨単位で表された第１の金額と、該取引金額を第２の通貨単位で表された第２の金額と、さらに前記第１の通貨と前記第２の通貨の交換比率としての決済レートとして、出金取引における第１の決済レート又は出金取引後における第２の決済レートのいずれかを前記使用者に選択させる選択ボタンとを、選択画面に表示する
ことを特徴とする取引装置。
【手続補正２】
【補正対象書類名】明細書
【補正対象項目名】０００８
【補正方法】変更
【補正の内容】
【０００８】
第１の本発明は、第１の通貨を出金する取引装置において、（１）出金取引に関する内容を表示する表示部と、（２）使用者の媒体を少なくとも用いて取引を行う取引処理部とを備え、（３）前記表示部は、出金取引するのに必要な金額としての取引金額を前記第１の通貨単位で表された第１の金額と、該取引金額を第２の通貨単位で表された第２の金額と、該第１の通貨又は第２の通貨のいずれかを前記使用者に選択させる選択ボタンとを、選択画面に表示することを特徴とする。
第２の本発明は、第１の通貨を出金する取引装置において、（１）出金取引に関する内容を表示する表示部と、（２）使用者の媒体を少なくとも用いて取引を行う取引処理部とを備え、（３）前記表示部は、出金取引するのに必要な金額としての取引金額を前記第１の通貨単位で表された第１の金額と、該取引金額を第２の通貨単位で表された第２の金額と、さらに前記第１の通貨と前記第２の通貨の交換比率としての決済レートとして、前記出金取引における第１の決済レート又は該出金取引後における第２の決済レートのいずれかを前記使用者に選択させる選択ボタンとを、選択画面に表示することを特徴とする。
第３の本発明は、第１の通貨を出金する取引装置において、（１）出金取引に関する内容を表示する表示部と、（２）使用者が所持するカード又はデバイスに記録されたデータを少なくとも利用して出金取引を行う取引処理部とを備え、（３）前記表示部は、出金取引するのに必要な金額としての取引金額を前記第１の通貨単位で表された第１の金額と、該取引金額を第２の通貨単位で表された第２の金額と、該第１の通貨又は第２の通貨のいずれかを前記使用者に選択させる選択ボタンとを、選択画面に表示することを特徴とする。
第４の本発明は、第１の通貨を出金する取引装置において、（１）取引内容を表示する表示部と、（２）使用者が所持するカード又はデバイスに記録されたデータを少なくとも利用して出金取引を行う取引処理部とを備え、（３）前記表示部は、出金取引するのに必要な金額としての取引金額を前記第１の通貨単位で表された第１の金額と、該取引金額を第２の通貨単位で表された第２の金額と、さらに前記第１の通貨と前記第２の通貨の交換比率としての決済レートとして、出金取引における第１の決済レート又は出金取引後における第２の決済レートのいずれかを前記使用者に選択させる選択ボタンとを、選択画面に表示することを特徴とする。